(57)【要約】【課題】音声ファイルまたは画像ファイルを再生する際、口述者とその口述内容を容易に確認することができ、また、使い勝手の良いデータ処理装置を提供する。【解決手段】画像データと音声データとの少なくとも一方の記録動作と再生動作との少なくとも一方を行うことができる撮像機能付きＩＣレコーダ７２において、操作者を識別するＩＤと操作者の指紋データとが関連して記憶されている記憶手段３２と、操作者の指紋を検出する指紋検出手段４０と、記憶手段３２に記憶されている上記ＩＤから任意の上記ＩＤを選択する選択手段３１と、指紋検出手段４０により検出された指紋と選択手段３１により選択された上記ＩＤに関連した指紋データとが同一であるか否かを比較する比較手段４１と、比較手段４１による比較の結果に基づいて所定動作の可否を制御する制御手段３０と、を具備することを特徴とする。【選択図】図２
2005117105.tif 000002
【特許請求の範囲】
【請求項１】
画像データと音声データとの少なくとも一方の記録動作と再生動作との少なくとも一方を行うことができるデータ処理装置において、
所定の操作者を識別するＩＤと操作者の指紋データとが関連して記憶されている記憶手段と、
指紋を検出する指紋検出手段と、
上記記憶手段に記憶されている上記ＩＤから任意の上記ＩＤを選択する選択手段と、
上記指紋検出手段により検出された指紋の指紋データと上記選択手段により選択された上記ＩＤに関連した指紋データとが同一であるか否かを比較する比較手段と、
上記比較手段による比較の結果に基づいて所定動作の可否を制御する制御手段と、
を具備することを特徴とするデータ処理装置。
【請求項２】
上記制御手段は、上記比較手段において上記指紋検出手段により検出された指紋の指紋データと上記選択手段において選択された上記ＩＤに関連した上記操作者の指紋データとが同一であると判断された場合には所定動作を許可し、同一でないと判断された場合には所定動作を禁止することを特徴とする請求項１に記載のデータ処理装置。
【請求項３】
上記所定動作は、画像データと音声データとの少なくとも一方の記録動作と再生動作との少なくとも一方であることを特徴とする請求項２に記載のデータ処理装置。
【請求項４】
上記指紋検出手段により検出された指紋を画像データに変換して、上記ＩＤと関連させ、上記記憶手段に登録する登録手段をさらに具備することを特徴とする請求項１に記載のデータ処理装置。
【請求項５】
パスワードが記憶されているパスワード記憶手段と、
操作者がパスワードを入力するパスワード入力手段と、
上記パスワード記憶手段に記憶されているパスワードと上記パスワード入力手段から入力されたパスワードとを比較するパスワード比較手段と、
上記パスワード比較手段の比較結果により、上記パスワード記憶手段に記憶されているパスワードと上記パスワード入力手段から入力されたパスワードとが同一の場合には上記登録手段による上記記憶手段への登録を許可し、同一でない場合には上記登録手段による上記記憶手段への登録を禁止するように制御する登録操作制御手段と、
をさらに具備することを特徴とする請求項４に記載のデータ処理装置。
【請求項６】
上記記憶手段は、更に上記ＩＤ毎に操作環境設定データを記憶しており、
上記制御手段により上記所定動作が許可された際、上記選択手段により選択された上記ＩＤの上記操作環境設定データに基づいて操作環境の設定を行う操作環境設定手段をさらに具備することを特徴とする請求項２または請求項３に記載のデータ処理装置。
【請求項７】
上記操作環境設定データは、画像データと音声データとの少なくとも一方を格納する際の操作者が任意に設定できるフォルダ情報、マイク感度情報、またはアラーム設定情報であることを特徴とする請求項６に記載のデータ処理装置。
【請求項８】
上記記憶手段は、画像データと音声データとの少なくとも一方を格納するための複数のフォルダを有し、
上記操作環境設定手段は、上記制御手段により上記所定動作が許可された場合には、上記選択手段により選択された上記ＩＤの操作環境設定データに基づいて、上記各フォルダの使用の可否を制御することを特徴とする請求項６に記載のデータ処理装置。
【発明の詳細な説明】
【技術分野】
【０００１】
本発明は、データ処理装置、詳しくは指紋認証機能を備えたデータ処理装置に関する。
【背景技術】
【０００２】
周知のように、口述者の音声信号をデジタルデータに変換した後、書き換え可能な記録媒体としてのフラッシュメモリに記憶し、該フラッシュメモリに記憶された音声データをアナログ化して再生するという携帯型の音声記録再生装置（以下、ＩＣレコーダと称す）が１９９０年代後半から本格的に実用化されている。さらに最近では、録音と同時に画像データも記録できる撮像機能付きＩＣレコーダも製品化されている。
【０００３】
上記ＩＣレコーダの特徴としては、所定の操作スイッチを操作することにより、録音、再生、早送り、早戻し、および撮像などの各動作モードを選択的に動作させることができることにある。例えば、録音動作モードを選択したときは、予め上記フラッシュメモリに設けられた音声データ領域およびインデックス情報領域に、デジタル信号に変換された音声データ、および該音声データに関するインデックス情報（音声データのアドレス、録音日時等）を記憶するようになっている。
【０００４】
また、上記フラッシュメモリに記憶される音声データまたは画像データは、ファイルナンバとフォルダ記号が割り当てられ、録音または撮像後の操作者による音声データまたは画像データのファイル（以下、音声ファイル、画像ファイルとそれぞれ称す）検索や再生を容易にしている。さらに、上記フォルダは、録音または撮像毎に増え続ける上記ファイルを効率良く区分管理するため、例えばＡ、Ｂ、およびＣフォルダの様に通常複数個設けられており、操作者が選択中のフォルダを認識しやすいように、セット本体のＬＣＤ等の表示機器に当該フォルダマークをポップ表示するよう工夫されている。
【０００５】
ところで、複数の操作者が１つのＩＣレコーダを使用する場合、例えばファイルナンバの混同により、現在の操作者が第３者の音声ファイルまたは画像ファイルに誤ってアクセスしてしまい、不用意に第３者の上記ファイルの再生や消去を行ってしまう虞がある。
【０００６】
そこで、ＩＤコード等の認証番号（記号）を入力しない限り、例えば所有者以外の第３者が操作できないように、意図的にセキュリティを施したＩＣレコーダが知られるところにあり、例えば特許文献１には、ＩＣレコーダに登録したＩＤ番号に付随する指紋と当該操作者の指紋が一致しない限り、操作者による個々のファイルの再生操作または消去操作を禁止する技術の提案がなされている。
【特許文献１】特開２０００−３５２９９８号公報
【発明の開示】
【発明が解決しようとする課題】
【０００７】
しかしながら、上記特許文献１に開示されている記録再生装置は、個々のファイルに対してのみしか第３者による再生操作または消去操作を許可または禁止していない。よって、複数のフォルダに数多くのファイルが存在するようなときは、どのファイルが許可または禁止されているのかを使用者は使用の度に区別しなければならず非常に使い勝手が悪い。
【０００８】
本発明の目的は、上記事情に鑑みてなされたものであり、音声ファイルまたは画像ファイルを再生する際、口述者とその口述内容を容易に確認することができ、また、使い勝手の良いデータ処理装置を提供することにある。
【課題を解決するための手段】
【０００９】
上記目的を達成するために本発明によるデータ処理装置は、画像データと音声データとの少なくとも一方の記録動作と再生動作との少なくとも一方を行うことができるデータ処理装置において、所定の操作者を識別するＩＤと操作者の指紋データとが関連して記憶されている記憶手段と、指紋を検出する指紋検出手段と、上記記憶手段に記憶されている上記ＩＤから任意の上記ＩＤを選択する選択手段と、上記指紋検出手段により検出された指紋の指紋データと上記選択手段により選択された上記ＩＤに関連した指紋データとが同一であるか否かを比較する比較手段と、上記比較手段による比較の結果に基づいて所定動作の可否を制御する制御手段とを具備することを特徴とする。
【００１０】
また、上記制御手段は、上記比較手段において上記指紋検出手段により検出された指紋の指紋データと上記選択手段において選択された上記ＩＤに関連した上記操作者の指紋データとが同一であると判断された場合には所定動作を許可し、同一でないと判断された場合には所定動作を禁止することを特徴とする。
【００１１】
さらに、上記所定動作は、画像データと音声データとの少なくとも一方の記録動作と再生動作との少なくとも一方であることを特徴とし、また、上記指紋検出手段により検出された指紋を画像データに変換して、上記ＩＤと関連させ、上記記憶手段に登録する登録手段をさらに具備することを特徴とする。
【００１２】
また、パスワードが記憶されているパスワード記憶手段と、操作者がパスワードを入力するパスワード入力手段と、上記パスワード記憶手段に記憶されているパスワードと上記パスワード入力手段から入力されたパスワードとを比較するパスワード比較手段と、上記パスワード比較手段の比較結果により、上記パスワード記憶手段に記憶されているパスワードと上記パスワード入力手段から入力されたパスワードとが同一の場合には上記登録手段による上記記憶手段への登録を許可し、同一でない場合には上記登録手段による上記記憶手段への登録を禁止するように制御する登録操作制御手段と、をさらに具備することを特徴とする。
【００１３】
さらに、上記記憶手段は、更に上記ＩＤ毎に操作環境設定データを記憶しており、上記制御手段により上記所定動作が許可された際、上記選択手段により選択された上記ＩＤの上記操作環境設定データに基づいて操作環境の設定を行う操作環境設定手段をさらに具備することを特徴とし、また、上記操作環境設定データは、画像データと音声データとの少なくとも一方を格納する際の操作者が任意に設定できるフォルダ情報、マイク感度情報、またはアラーム設定情報であることを特徴とし、さらに、上記記憶手段は、画像データと音声データとの少なくとも一方を格納するための複数のフォルダを有し、上記操作環境設定手段は、上記制御手段により上記所定動作が許可された場合には、上記選択手段により選択された上記ＩＤの操作環境設定データに基づいて、上記各フォルダの使用の可否を制御することを特徴とする。
【発明の効果】
【００１４】
本発明のデータ処理装置は、音声ファイルまたは画像ファイルを再生する際、口述者とその口述内容を容易に確認することができ、また、使い勝手の良いデータ処理装置を提供することができる。
【発明を実施するための最良の形態】
【００１５】
以下、図面を参照して本発明の実施の形態を説明する。尚、本実施の形態においては、データ処理装置は、撮像機能付きＩＣレコーダを例に挙げて説明する。
【００１６】
（第１の実施の形態）
以下、本発明の実施の形態を図示の例によって説明する。  
図１は、本発明の一実施の形態である撮像機能付きＩＣレコーダの構成の概略を示した機能ブロック図である。  
図１に示すように、本実施形態の撮像機能付きＩＣレコーダ７２は、音声信号および画像信号を所定のフォーマット形式の音声データおよび画像データに符号化する符号化手段１と、複数の操作スイッチが設けられたスイッチ操作部（以下、ＳＷ操作部と略す）と上記操作スイッチの入力に応じて所定のシーケンスを実行する制御手段とからなるＳＷ操作部＆制御手段６とを有している。
【００１７】
また、撮像機能付きＩＣレコーダ７２は、ＳＷ操作部＆制御手段６の特定のスイッチを操作した場合、録音時に限ってＳＷ操作部＆制御手段６の特定のスイッチを操作することにより、画像データを符号化手段１に入力する選択手段５と、上記音声データと上記音声データに関連付けられた画像データと後述する登録された操作者（以下、操作予定者と称す）を識別する識別情報（以下、ＩＤと称す）と該ＩＤに関連付けられた複数の操作予定者の指紋データと操作者により入力されるパスワードとを記憶する動作を行う記憶手段２とを有している。
【００１８】
さらに、撮像機能付きＩＣレコーダ７２は、再生時に記憶手段２から読み出した上記音声データ、および画像データを所定の復号化フォーマットに従って音声信号および画像信号に復号化する復号化手段３と、上記復号化された音声信号を音声として再生する音声再生部４と、上記復号化された画像信号を画像として再生する画像再生部８と、上記音声信号に関連付けられた画像信号のみを選択的に上記画像再生部８に出力するようにした選択手段７とを有している。
【００１９】
また、撮像機能付きＩＣレコーダ７２は、操作者の指紋を検出する指紋検出手段９と、該指紋検出手段９により検出した操作者の指紋のデータと上記記憶手段２に予め登録しておいた複数の操作予定者の指紋データとを比較照合する指紋照合手段１０と、該指紋照合手段１０の比較結果に基づいて選択された操作予定者が当該操作者と一致するか否かを判定する判定手段１１と、上記複数の操作予定者の指紋データを比較する際、その操作予定者名を一覧表示する表示部１２とを有している。
【００２０】
以上の如き構成を有して、撮像機能付きＩＣレコーダ７２は、主要部が構成されている。  
図２は、図１の撮像機能付きＩＣレコーダ７２の具体的な回路等の構成を示したブロック図である。  
この図２に示すように、音声を電気信号に変換するマイクロフォン（ＭＩＣ）２５の出力端は音声入力部２６の入力端に接続されており、また音声入力部２６の出力端はデジタル信号処理部（ＤＳＰ）３３の入力端に接続されている。
【００２１】
さらに、デジタル信号処理部３３の出力端は音声再生部２７の入力端に接続されており、この音声再生部２７の出力端はスピーカ（ＳＰ）２８の入力端に接続されている。
【００２２】
同様に、画像を電気信号に変換する撮像素子（ＣＣＤ）２１の出力端は、画像入力部２２の入力端に接続されており、画像入力部２２の出力端は、デジタル信号処理部（ＤＳＰ）３３の入力端に接続されている。
【００２３】
さらに、デジタル信号処理部３３の出力端は、画像再生部２３の入力端に接続されており、また画像再生部２３の出力端は、例えばＴＦＴタイプのＬＣＤ等で構成されている画像表示部２４の入力端に接続されている。
【００２４】
マイクロフォン（ＭＩＣ）２５からの音声出力は、音声入力部２６に入力される。音声入力部２６は、マイクアンプ，ローパスフィルタ，及びＡ／Ｄ変換器等（いずれも図示されず）により構成されている。マイクアンプで増幅されたアナログの音声信号は、ローパスフィルタで不要な周波数帯域がカットされた後、Ａ／Ｄ変換器でデジタル信号に変換される。
【００２５】
同様に、撮像素子（ＣＣＤ）２１からの画像出力は、画像入力部２２に入力される。画像入力部２２は、アイリス、ゲイン、ホワイトバランス等の各制御回路およびＡ／Ｄ変換器等（いずれも図示されず）により構成されている。撮像素子（ＣＣＤ）２１より出力された各画素信号は、上記画像入力部２２によりデジタル信号に変換される。
【００２６】
上記音声および画像の各デジタル信号は、デジタル信号処理部（ＤＳＰ）３３に入力される。デジタル信号処理部（ＤＳＰ）３３は、録音時には後述するシステム制御部３０に制御されて上記各デジタル信号をフレーム単位で所定の符号化フォーマットの音声データおよび画像データに符号化、即ち圧縮する。そして、符号化された各データは、一時的にシステム制御部３０の図示しないバッファメモリに記憶される。
【００２７】
一方、再生時には、デジタル信号処理部（ＤＳＰ）３３は、システム制御部３０に制御されて、このシステム制御部３０の図示しないバッファメモリから音声データおよび画像データをフレーム単位で復号化、即ち伸長する処理を行う。復号化された音声のデジタル信号は、音声再生部２７に入力される。
【００２８】
音声再生部２７は、Ｄ／Ａ変換器、ローパスフィルタ、およびパワーアンプ等（いずれも図示されず）により構成されている。上記Ｄ／Ａ変換器でアナログ信号に変換された音声信号は、上記ローパスフィルタにより不要な周波数帯域がカットされた後、上記パワーアンプにより増幅される。その後、音声信号は、スピーカ（ＳＰ）２８から音声として出力される。
【００２９】
同様に、復号化された画像のデジタル信号は、画像再生部２３に入力される。画像再生部２３は、ビデオ制御回路およびＤ／Ａ変換器等（いずれも図示されず）により構成されている。画像再生部２３によりアナログ信号に変換された画像信号は、例えばＴＦＴ−ＬＣＤ等により構成された画像表示部２４に画像として表示される。
【００３０】
デジタル信号処理部３３には、ＣＰＵ等により構成された本装置全体の制御を行うシステム制御部３０が接続されており、該システム制御部３０には、記憶手段、およびパスワード記憶手段である記憶部（メモリ）３２、操作部３１、表示部２９、および指紋照合部４１が接続されている。指紋照合部４１には、操作者の指紋の凹凸を光学的に検出して電気信号に変換する指紋検出手段である撮像素子（ＣＣＤ）４０が接続されている。
【００３１】
記憶部（メモリ）３２は、不揮発性の半導体メモリ、例えばフラッシュメモリ等により構成されており、画像データと音声データとの少なくとも一方を格納するための複数のフォルダを有している。記憶部３２は、録音時は、デジタル信号処理部３３により符号化された音声データおよび画像データがシステム制御部３０の図示しないバッファメモリを介して複数のフォルダに記憶される。このとき、音声データおよび画像データに関するインデックス情報も記憶される。また、操作者により操作予定者を識別するＩＤと該ＩＤに関連付けられた指紋データも記憶される。さらに、上記指紋データを登録する際に用いるパスワード、および上記ＩＤ毎に後述する操作環境設定データも記憶されている。
【００３２】
操作部３１は、各種機能を制御するための操作スイッチであり、録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）、ホールドスイッチ（ＨＯＬＤ）、レリーズスイッチ（ＲＥＬ）、等の各種スイッチが機能別に配置されている。尚、操作部３１は、記憶部３２に記憶されている上記ＩＤから後述するスクロールバー６２を移動させることにより任意の上記ＩＤを選択する選択手段、及び操作者が上記指紋データを登録する際に用いるパスワードを入力する際のパスワード入力手段を構成している。
【００３３】
表示部２９は、操作部３１のいずれかのスイッチ操作により、所定のシーケンスが開始したときの動作モード、またはその後の動作状況を表示する。例えば、録音スイッチ（ＲＥＣ）を押した場合は、録音の経過時間、録音可能な残り時間、およびファイルナンバ、操作予定者名等を表示する。また、メニュースイッチ（ＭＥＮＵ）を押した場合は、マイク感度（高／低）、録音モード（標準／ロング）、およびアラーム（オン／オフ）等の機能選択に関連した表示を行う。さらに、上記システム制御部３０が時計機能を有しているときは、現在日時の表示も行う。これら表示内容は、画像表示部２４に表示してもよい。
【００３４】
指紋照合部４１は、撮像素子（ＣＣＤ）４０により検出された操作者の指紋のデータと記憶手段３２に予め登録された複数の操作予定者の指紋データとを比較照合する。
【００３５】
次に、撮像機能付きＩＣレコーダの動作を図３を参照しながら説明する。図３は、図１，図２の撮像機能付きＩＣレコーダのメイン動作の処理の概略を示したフローチャートである。
【００３６】
図３に示すように、当該撮像機能付きＩＣレコーダがパワーオンされると、図２のシステム制御部３０は、ステップＳ１において所定の初期設定を行ってステップＳ２に移行し、該ステップＳ２においてタイマスタートを実行して、ステップＳ３以下に移行する。このタイマは、所定時間経過後に、撮像機能付きＩＣレコーダが通常の動作モードから待機モード(低消費電流モード)に入るための時間を計時する。
【００３７】
撮像機能付きＩＣレコーダが動作モードに入ると、システム制御部３０は、以下、前記操作部３１の各種スイッチのオン検出のチェックを、録音スイッチ(ＲＥＣ)、再生スイッチ(ＰＬＡＹ)、早送りスイッチ(ＦＦ)、早戻しスイッチ(ＲＥＷ)、停止スイッチ(ＳＴＯＰ)、メニュースイッチ(ＭＥＮＵ)、消去スイッチ(ＥＲＡＳＥ)の順に、ステップＳ３〜ステップＳ８、ステップＳ１８において行い、それぞれのオン検出に応じて、それぞれ上記各ステップから分岐して、ステップＳ１１、ステップＳ１２、ステップＳ１３、ステップＳ１４、ステップＳ１５、ステップＳ１６、ステップＳ１９において所定のサブルーチン“録音処理”“再生処理”“早送り処理”“早戻し処理”“停止処理”“メニュー変更処理”“消去処理”を実行する。
【００３８】
上記サブルーチン実行後は、システム制御部３０は、上記タイマをステップＳ１７において再スタートさせ、メインループに戻る。尚、ステップＳ２におけるタイマスタート以降のステップＳ３〜ステップＳ８およびステップＳ１８における一連のスイッチ検出動作は、ステップＳ２０における操作者の指紋を検出した後に移行するステップＳ２１における指紋認証処理のサブルーチンにおいて、当該操作者が認識され特定されたときのみ許可される。
【００３９】
また、上記早送り処理、早戻し処理、停止処理、メニュー変更処理、および消去処理の各処理は、周知の技術手段を用いて実施しており、また、本発明の内容に直接関係しないので詳しい説明は省略する。
【００４０】
ステップＳ３〜ステップＳ８およびステップＳ１８においてすべてのスイッチがオフしている場合は、ステップＳ９に移行し、上記タイマの計時時間が所定時間をオーバしているか否かを判定し、タイムオーバしていなければ、ステップＳ３から始まるメインフローに戻り、タイムオーバしていると、ステップＳ１０に移行して、待機モードのサブルーチンに入り、低消費電流状態となる。
【００４１】
具体的には図２の音声入力部２６、画像入力部２２、音声再生部２７、画像再生部２３、画像表示部２４、デジタル信号処理部３３、表示部２９、および記憶部３２の電源を遮断、もしくは各ブロックを構成する図示しないＩＣに設けられているチップイネーブル端子に、システム制御部３０から非選択信号を出力することにより、低消費電流状態となる。
【００４２】
このとき、システム制御部３０のＣＰＵは、自らの動作クロックを最も消費電流の少ない低速クロックに切り換えて低消費電流状態になる。場合によっては、動作クロックをメインクロック(例えば、9.28MHz)からサブクロック(例えば、32.768kHz)に切り換えて、その後スイッチ入力が検出されるまでメインクロックを完全に停止させてもよい。この待機モードにおいて、いずれかの操作スイッチが操作された場合には、動作クロックをメインクロックに戻し、ステップＳ２へ戻る。
【００４３】
次に、上記所定のサブルーチンのうち、ステップＳ１１の“録音処理”について図５のフローチャート、図２、および図４を参照しながら説明する。  
図４は、図２の記憶部３２に記憶された、音声データ領域とインデックス情報領域のそれぞれの構成と対応を示した図であり、図５は、図３中の録音処理動作を詳細に説明したフローチャートである。
【００４４】
図５において、録音が開始されると、最初にステップＳ５１において、システム制御部３０は、マイク感度(高／低)、録音モード(標準／ロング)、ファイルナンバ、およびこの音声データを記憶する音声データ記憶領域開始アドレス等の各種情報を、前記記憶部３２中のインデックス情報領域に記憶して、ステップＳ５２に移行する。
【００４５】
ステップＳ５２では、システム制御部３０は、録音中に操作部３１（図２参照）のレリーズスイッチ（ＲＥＬ）がオンされたか否かを判定する。レリーズスイッチ（ＲＥＬ）がオンされておれば、ステップＳ５３に分岐し、続くステップＳ５３では、システム制御部３０は、画像取得フラグをセットしてステップＳ５４に移行する。一方、ステップＳ５２において、レリーズスイッチ（ＲＥＬ）がオンされてなければ、ステップＳ５４に移行する。
【００４６】
ステップＳ５４では、システム制御部３０は、画像取得処理のサブルーチンを実行する。なお、上記レリーズスイッチは、後述するレリーズスイッチ（ＲＥＬ）７３と等価である。その後、ステップＳ５５に移行する。
【００４７】
ステップＳ５５では、システム制御部３０は、デジタル信号処理部（ＤＳＰ）３３を制御することにより、音声信号の符号化が行われるが、符号化そのものはフレーム単位で行うため、音声データが所定フレーム数になるまで連続的に行われる。その後、ステップＳ５６に移行する。
【００４８】
ステップＳ５６では、システム制御部３０は、該システム制御部３０の図示しないバッファメモリに記憶された音声データが、予め決められた所定フレーム数に達したか否かを判定する。音声データが所定フレーム数に達しておれば、ステップＳ５７に移行し、システム制御部３０は、音声データを記憶部３２の音声データ記憶領域開始アドレスから順に書き込んで記憶する。例えば、１０ビット／フレームの音声信号を４ビット／フレームまで符号化した音声データを上記記憶部３２へ５１２バイト単位で書き込む場合、所定フレーム数は１０２４になる。
【００４９】
ここで、記憶部３２に記憶される音声データは、図４に示すように、音声データ領域Ａ、および音声データ領域Ｂが例えば音声データ領域の先頭アドレスから順に記憶されている。また、音声データ領域Ａ、および音声データ領域Ｂに対応する開始アドレスが、音声データ領域Ａの先頭アドレス、および音声データ領域Ｂの先頭アドレスとしてインデックス情報領域に記憶されている。以下、音声データ領域Ｃ、音声データ領域Ｄ、・・・と、音声データ領域が確保される毎に、各音声データ領域の先頭アドレスをインデックス情報領域に記憶されるようになっている。音声データを記憶部３２に記憶した後は、ステップＳ５８に移行する。
【００５０】
ステップＳ５８では、システム制御部３０は、後述する画像取得フラグがリセットされているか否かを判定する。画像取得フラグが「０」すなわちリセットされているときは、システム制御部３０は、前記音声信号の符号化と後述する画像信号の符号化を一つのデジタル信号処理部３３を制御することによって同時進行させる。すなわち、システム制御部３０は、撮影中も音切れが起こらないように、音声データと画像データを所定フレーム数毎に記憶部３２に交互に記憶する。その後、ステップＳ５９に移行する。ステップＳ５８において、画像取得フラッグがリセットされていない場合は、ステップＳ５２に戻り、画像取得処理サブルーチンを繰り返す。
【００５１】
画像取得が終了した後は、ステップＳ５９の停止スイッチ(ＳＴＯＰ)がオンするまでの間、システム制御部３０は、上記ステップＳ５２〜ステップＳ５８の所定のレリーズシーケンス動作に従って各ステップの実行を繰り返す。ステップＳ５９において、システム制御部３０は、停止スイッチ(ＳＴＯＰ)がオンを検出すると、ステップＳ６０に移行して、録音終了処理を実行して録音を終了し、その後リターンする。
【００５２】
次に、上記所定のサブルーチンのうち、ステップＳ５４の“画像取得処理”について図６のフローチャート、図２、および図４を参照しながら説明する。
【００５３】
図６は、図５中の画像取得処理動作を詳細に説明したフローチャートである。  
まず、ステップＳ７１においてシステム制御部３０は、画像取得フラグが「１」すなわちセットされているか否かを検出する。セットされていなければ通常の録音処理を実行するが、セットされているときは、撮像動作を行う場合なので、ステップＳ７２に移行してシステム制御部３０は、デジタル信号処理部３３を制御することにより、取得した画像信号の符号化を行う。符号化そのものは音声データ同様にフレーム単位で行い、画像データが所定フレーム数になるまで連続的に行われる。そして、続くステップＳ７３において、システム制御部３０は、該システム制御部３０の図示しないバッファメモリに記憶された画像データが、予め決められた所定フレーム数に達したか否かを判定する。所定フレーム数に達しておれば、ステップＳ７４に移行し、システム制御部３０は、画像データを記憶部３２の画像データ記憶領域開始アドレスから順に書き込んで記憶する。
【００５４】
ここで、記憶部３２に記憶される画像データは、図４に示すように、画像データ領域の開始アドレスは、例えば上記音声データ領域の任意のアドレスから順に記憶されている。また、画像データ領域Ｐ、画像データ領域Ｑ、および画像データ領域Ｒに対応する開始アドレスが、画像データ領域Ｐの先頭アドレス、画像データ領域Ｑの先頭アドレス、および画像データ領域Ｒの先頭アドレスとしてインデックス情報領域に記憶されている。これら画像データも上記音声データと同様に、画像データ領域が確保される毎に、各画像データ領域の先頭アドレスをインデックス情報領域に記憶されるようになっている。
【００５５】
上記ステップＳ７１〜ステップＳ７４は、画像取得を終了するまで繰り返し行う。ステップＳ７５において画像取得終了後は、システム制御部３０は、ステップＳ７６において音声データ関連付けフラグをセットしてステップＳ７７に移行し、該ステップＳ７７においては、システム制御部３０は、画像取得フラグをリセットしてステップＳ７８に移行し、該ステップＳ７８では、システム制御部３０は、画像取得時刻を記憶部３２に記憶して本サブルーチンを終了する。尚、ステップＳ７５において、画像取得が終了していないと判定された場合にはリターンし元のルーチンに戻る。
【００５６】
ここで上記ステップＳ７７の画像取得フラッグをリセットは、前記図５のステップＳ５８に対応する。尚、上記音声データ関連付けフラグに関しては、後述の画像再生処理において詳しく説明する。
【００５７】
次に、前記図３のステップＳ１２の“再生処理”について、図７のフローチャート、および図２を参照しながら説明する。
【００５８】
図７は、図３中の再生処理動作を詳細に説明したフローチャートである。  
音声の再生が開始されると、まず、ステップＳ８１において、システム制御部３０は、選択した音声データ領域に関連した録音モード(標準／ロング)、ファイルナンバ、およびこの音声データを記憶した音声データ記憶領域開始アドレス等の各種情報を記憶部３２のインデックス情報領域から読み出し、ステップＳ８２に移行する。
【００５９】
ステップＳ８２では、システム制御部３０は、画像再生処理のサブルーチンを実行してステップＳ８３に移行し、該ステップＳ８３では、システム制御部３０は、上記音声データ記憶領域開始アドレスから順に前記記憶部３２に記憶している音声データを読み出し、その後ステップＳ８４に移行する。
【００６０】
ステップＳ８４では、システム制御部３０は、デジタル信号処理部３３を制御することにより音声データを復号化する。復号化そのものはフレーム単位で行うので、音声データが所定フレーム数になるまで連続的に行い、システム制御部３０の図示しないバッファメモリに順次記憶しながら音声信号として音声再生部２７に出力する。その後、ステップＳ８５に移行する。
【００６１】
ステップＳ８５では、システム制御部３０は、音声データの復号化が所定フレーム数終了したか否かを判定する。所定フレーム数終了しておれば、ステップＳ８６に移行し、続くステップＳ８６において、システム制御部３０は、画像表示中フラグの状態を判定する。  画像表示中フラグが「１」すなわちセットされている場合は、システム制御部３０は、音声の再生開始と同時に前記図２の表示部２９に画像表示を行い、ステップＳ８７に移行する。
【００６２】
通常、音声の再生に伴う口述者の認識は、画像表示開始から数秒間あれば十分なので、ステップＳ８７では、システム制御部３０は、後述する画像再生処理で計時を開始させた画像表示中タイマが、所定時間を計時してオーバフローしたか否かを判定する。オーバフローしていなければ、上記ステップＳ８２〜ステップＳ８６を繰り返し行う。
【００６３】
ステップＳ８７において、オーバフローしておれば、ステップＳ８８に移行して、続くステップＳ８８では、システム制御部３０は、画像表示中フラグをリセットしてステップＳ８９に移行し、続くステップＳ８９では、システム制御部３０は、上記画像表示中タイマの計時を停止して、ステップＳ１００に移行し、さらにステップＳ１００では、システム制御部３０は、通常の再生モード時の表示(録音時間、再生経過時間、録音モード(標準／ロング)、ファイルナンバ等)を行う。その後ステップＳ１０１に移行する。
【００６４】
上記ステップＳ８２〜ステップＳ８６は、ステップ１０１において停止スイッチ(ＳＴＯＰ)がオンされるまで繰り返し行なわれる。ステップ１０１において停止スイッチ(ＳＴＯＰ)がオンされると、ステップＳ１０２に移行して、システム制御部３０は、再生終了処理を実行して再生を終了し、その後リターンする。
【００６５】
次に、上記所定のサブルーチンのうち、ステップＳ８２の“画像再生処理”について図８のフローチャート、および図２を参照しながら説明する。
【００６６】
図８は、図７の画像再生処理動作を詳細に説明したフローチャートである。  
まず、ステップＳ９１において、システム制御部３０は、音声データ関連付けフラグが「１」すなわちセットされているか否かを検出する。セットされていなければ音声データだけを復号化する図７に示した通常の再生処理を実行するが、セットされているときは、ステップＳ９２へ移行し、システム制御部３０は、上記画像データ記憶領域開始アドレスから順に記憶部３２に記憶している画像データを読み出し、続くステップＳ９３において、システム制御部３０は、デジタル信号処理部３３により復号化を行う。
【００６７】
復号化そのものは音声データ同様にフレーム単位で行うので、続くステップＳ９４において、システム制御部３０は、画像データが所定フレーム数達したか否かを判定する。所定フレーム数に達しておれば、システム制御部３０は、システム制御部３０の図示しないバッファメモリに順次記憶しながら画像信号として画像データを画像再生部２３（図２参照）に出力する。その後、ステップＳ９５に移行する。
【００６８】
上記ステップＳ９１〜ステップＳ９４は、画像データの復号化を終了するまで繰り返し行われる。ステップＳ９５では、システム制御部３０は、画像データの復号化が終了したか否かを判定する。画像データの複合化が終了しておれば、ステップＳ９６に移行し、該ステップＳ９６では、システム制御部３０は画像データ復号化終了フラグをリセットし、続くステップＳ９７では、システム制御部３０は画像表示中フラグをセットし、さらに続くステップＳ９８では、システム制御部３０は画像表示中タイマの計時を開始させて終了する。尚、ステップＳ９６において、音声データ関連付けフラグがリセットされた後は、ステップＳ９１における音声データ関連付けフラグの判定により、システム制御部３０は音声データだけを復号化する通常の再生処理を行う。
【００６９】
次に、図３のステップＳ２１の“指紋認証処理”について、図９のフローチャート、および図２、図４、図１０、図１１を参照しながら説明する。  
図９は、図３中の指紋認証処理動作を詳細に説明したフローチャート、図１０は、ライン型ＣＣＤが配設された図１の撮像機能付きＩＣレコーダの下部を示した部分正面図、図１１は、図１の撮像機能付きＩＣレコーダの上部を示した部分正面図である。
【００７０】
指紋検出部の撮像素子（ＣＣＤ）４０（図２参照）は、例えば図１０に示すように、撮像機能付きＩＣレコーダ７２の下部表面に配設されており、撮像素子（ＣＣＤ）４０は、低廉かつ小型の指紋検出手段であるライン型ＣＣＤ６０等により構成されている。この場合、ライン型ＣＣＤ６０による操作者の指紋の読み取りは、ライン型ＣＣＤ６０の上面を一定速度により撫でられることにより行なわれる。即ち、ライン型ＣＣＤ６０の上面を、図１０に示すように、当該操作者の指の腹６１によりゆっくり接触移動されることにより、ライン型ＣＣＤ６０は、指紋の凹凸部に反射する光の強弱を電気信号に変換して読み取る。
【００７１】
具体例として、２００３年２月２５日にアルプス電気株式会社およびカシオ計算機株式会社が共同発表した「中空ロールヘッド方式」は、上記光学式読み取りをさらに高精度かつ高信頼性で実現したものであり、本実施の形態における撮像機能付きＩＣレコーダの指紋検出部に最も適用し易い形状である。
【００７２】
尚、上記指紋の読み取りは、操作者の指の腹６１が上記ライン型ＣＣＤ６０の上に翳されたときの明暗の変化をトリガとして自動的にスタートさせてもよい。
【００７３】
図９に示すように、まず、ステップＳ３０において、システム制御部３０は、ライン型ＣＣＤ６０により操作者の指紋を読み取り、画像データに変換すると、続くステップＳ３１において、システム制御部３０は、後述する指紋登録またはパスワード指定のキー入力が行えるように、録音スイッチ（ＲＥＣ）、再生スイッチ（ＰＬＡＹ）、消去スイッチ（ＥＲＡＳＥ）以外のスイッチ操作を許可状態にする。その後、ステップＳ３２に移行する。
【００７４】
ステップＳ３２では、システム制御部３０は、操作者の指紋が登録されているか否かを判定する。操作者の指紋登録がされていなければ、ステップＳ４２に分岐する。ステップＳ４２では、メニュースイッチ（ＭＥＮＵ）６５（図１１参照）が操作者によって操作されることによりパスワード入力モードが選択され、ＩＣレコーダ毎に割り振られた数字およびアルファベットで構成された数桁のパスワードが指定され、これらをシステム制御部３０は認識する。このパスワードが入力されることにより、悪意のある第３者の安易な指紋登録を防止することができる。その後、ステップＳ４３に移行する。
【００７５】
ステップＳ４３においては、システム制御部３０は、上記ステップＳ４２において入力されたパスワードが、以前に操作者によってパスワードが登録されている場合は記憶部３２に登録されたパスワードと一致しているか否か、または、パスワードが登録されていない場合は、入力されたパスワードが、第３者が登録したパスワードと重複しているか否か、または有効か否かを判定する。パスワードが認証されれば、または、パスワードが有効であればステップＳ４５に移行する。
【００７６】
ステップＳ４５では、操作者により登録者名が入力されたことをシステム制御部３０は認識する。この際、以前に操作者により登録者名とパスワードが入力されている場合には、システム制御部３０は、入力された登録者名に誤りが無いことを確認してステップＳ４６に移行する。
【００７７】
ステップＳ４６では、システム制御部３０は、例えば停止スイッチ（ＳＴＯＰ）６４（図１１参照）がオンされることにより、ステップＳ３０において読み取り画像データに変換された指紋と上記登録者名を関連付けて記憶部３２（図２参照）に記憶（登録）する。その後、ステップＳ４７に移行し、最後にステップＳ４７では、システム制御部３０は、各スイッチの操作を禁止して指紋認証を終了する。
【００７８】
よって、システム制御部３０は、記憶部３２に記憶されているパスワードと操作部３１から入力されたパスワードとを比較するパスワード比較手段と、該パスワードの比較により、記憶部３２に記憶されているパスワードと操作部３１から入力されたパスワードとが同一の場合には記憶部３２への操作者の指紋の登録を許可し、同一でない場合には記憶部３２への操作者の指紋の登録を禁止するように制御する登録操作制御手段を構成している。
【００７９】
また、システム制御部３０は、撮像素子４０により検出された操作者の指紋を画像データに変換して、上記ＩＤと関連させ、記憶部３２に登録する登録手段を構成している。
【００８０】
尚、記憶部３２に記憶される操作予定者の指紋は、図４に示すように、指紋データ領域の開始アドレスが、例えば上記音声データ領域の最後のアドレスから順に記憶されている。また、指紋データ領域Ｘ、指紋データ領域Ｙ、および指紋データ領域Ｚに対応する開始アドレスが、指紋データ領域Ｘの先頭アドレス、指紋データ領域Ｙの先頭アドレス、および指紋データ領域Ｚの先頭アドレスとしてインデックス情報領域に記憶されている。これら指紋データも上記音声データと同様に、指紋データ領域が確保される毎に、各指紋データ領域の先頭アドレスをインデックス情報領域に記憶すればよい。
【００８１】
ステップＳ４３に戻って、上記ステップＳ４２において入力されたパスワードが認証されなかった場合、即ち、以前に操作者によって登録されたパスワードと、例えば操作者が所定回数以上入力したパスワードとが異なるときは、ステップＳ４４に分岐して、続くステップＳ４４にて、システム制御部３０は、強制的に指紋認証をキャンセルするか否かを判定する。指紋認証をキャンセルする場合、または、停止スイッチ（ＳＴＯＰ）６４（図１１参照）がオンされることによって強制的に指紋認証をキャンセルする場合は、ステップＳ４７に移行し、システム制御部３０は、各スイッチの操作を禁止して指紋認証を終了する。
【００８２】
ステップＳ３２に戻って、操作者の指紋が登録されている場合、ステップＳ３３に移行し、この場合、録音および再生動作が行われる場合は、メニュースイッチ（ＭＥＮＵ）６５（図１１参照）が操作されることにより、システム制御部３０は、表示部２９（図２参照）にＩＤである登録者名の一覧を表示する。その後、ステップＳ３４に移行する。
【００８３】
ステップＳ３４では、表示部２９に表示された登録者名一覧表示の中から操作者により登録時の名前を選択指定されたことを、システム制御部３０は認識する。具体的には、図１１のＬＣＤ７１に表示された登録者名の中から、例えば早送りスイッチ（ＦＦ）が操作されることにより選択手段であるスクロールバー６２を移動させ、登録者の一名、例えば“乙目漱石”だけを、停止スイッチ（ＳＴＯＰ）６４が操作されることにより選択指定されたことを認識する。その後、ステップＳ３５に移行する。
【００８４】
ステップＳ３５では、システム制御部３０は、例えば停止スイッチ（ＳＴＯＰ）６４がオンされることにより指紋照合を行う。詳しくは、システム制御部３０は、ステップＳ３０においてライン型ＣＣＤ６０で読み取った直後の当該操作者の指紋と、記憶部３２に記憶されている登録者名と関連付けられた指紋とを指紋照合部４１を制御することにより比較照合する。続くステップＳ３６において指紋が照合すれば、即ちそれぞれの指紋画像の特徴点が一致すれば、続くステップＳ３７において、システム制御部３０は、当該操作者による操作が行われると判断して、特定した登録者のフォルダおよびカスタム設定をＬＣＤ７１に表示する。その後、ステップＳ３８において、各スイッチ操作を許可した状態で指紋認証を終了する。
【００８５】
よって、システム制御部３０は、指紋照合部４１を制御して撮像素子４０により検出された操作者の指紋と後述するスクロールバー６２において操作者により選択された上記ＩＤに関連した操作者の指紋データとが同一であると判断した場合には画像データおよび／または音声データの所定動作である記録動作および／または再生動作を許可し、同一でないと判断した場合には画像データおよび／または音声データの所定動作である記録動作および／または再生動作を禁止する、即ち所定動作の可否を制御する本発明における制御手段を構成している。
【００８６】
尚、上記特定した登録者のフォルダおよびカスタム設定は、登録者毎にそれぞれ区別されており、例えば登録者Ａのフォルダには、登録者Ａが録音した音声データファイルのみが格納されているので、登録者Ａが当該操作者のときに、登録者Ｂの音声データファイルを再生、消去することはできない。
【００８７】
また、画像データおよび／または音声データを格納する際にユーザが任意に設定できるフォルダ情報、マイク感度情報、またはアラーム設定情報などの操作環境設定データのカスタム設定も当該操作者のみが変更できる。この上記ＩＤの操作環境設定データに基づいて、システム制御部３０は、画像データおよび／または音声データの記録動作および／または再生動作が許可された場合には、記憶部３２の画像および／または音声を格納するための複数のフォルダの使用の可否を制御する。よって、システム制御部３０は、操作環境設定手段を構成している。
【００８８】
ステップＳ３５に戻って指紋照合を行わないとき、またはステップＳ３６において登録者の指紋と一致しないときは、ステップＳ３９に分岐して、システム制御部３０は、登録者名を特定することを終了するか否かを判定する。登録者名を特定することを終了しない場合は、ステップＳ４０に分岐して、システム制御部３０は、指紋認証をキャンセルするか否かを判定する。ステップＳ４１にて指紋認証をキャンセルする場合、またはステップＳ３９において、登録者名を特定することを終了する場合は、ステップＳ４１に移行し、続くステップＳ４１にて、システム制御部３０は、上述したステップＳ４７における手法と同様の手法により各スイッチの操作を禁止して指紋認証を終了する。
【００８９】
尚、指紋検出、指紋照合、および指紋認証の原理については、本発明内容に直接関係しないのでこれ以上の詳しい説明は省略する。
【００９０】
次に、実際の録音時の画像取得方法の概略を図１２乃至図１４を参照して説明する。  
図１２は、図１の撮像機能付きＩＣレコーダにおける録音時の撮影の概略を示した上面図であり、図１３は正面図、図１４は使用状態図である。  
図１２に示すように、撮像機能付きＩＣレコーダ７２の上面には、マイクロフォン孔７４、撮像レンズ７５、マイクジャック７６、およびイヤフォンジャック７７が長手方向に沿ってそれぞれ配設されている。マイクロフォン孔７４および前記撮像レンズ７５に対向するＩＣレコーダ内には、図２のマイクロフォン２５および撮像素子２１がそれぞれ配設されている。
【００９１】
また、撮像機能付きＩＣレコーダ７２の正面の上部には、図１３に示すように、レリーズスイッチ釦７３および表示部７１がそれぞれ配設されており、一側面には録音スイッチ釦７０が配設されている。
【００９２】
尚、撮像機能付きＩＣレコーダ７２に配設されるその他の操作スイッチ釦は、特に図示しないが、これらその他の操作スイッチ釦は、操作し易いように撮像機能付きＩＣレコーダ７２の正面あるいは側面側に配設されている。
【００９３】
さらに、撮像機能付きＩＣレコーダ７２の正面の下部には、図１４に示すように、スピーカ放音孔７８が配設されており、スピーカ放音孔７８に対向するＩＣレコーダ内には、図２のスピーカ２８が配設されている。なお、上記操作スイッチは、通常タクティルプッシュスイッチ(Ｔａｃｔｉｌｅ  Ｐｕｓｈ Ｓｗｉｔｃｈ)といわれるフェザータッチのスイッチを用いることが多い。
【００９４】
まず、撮像機能付きＩＣレコーダ７２の録音スイッチ釦７０を押動して録音スイッチをオンにすると録音が開始される。このとき、表示部７１には録音開始初期の表示が現れ、録音動作状態であることを操作者に告知する。この状態において、図１４に示すように、撮像機能付きＩＣレコーダ７２の上面を口述者７９に向けてレリーズスイッチ釦７３を押してレリーズスイッチをオンすることにより、口述者の画像を取得することができる。画像取得は、レリーズスイッチをオンする毎に行われる。したがって、複数の口述者を相手にするインタビュー等においても、口述内容に対応する口述者毎の画像を確実に記録することができる。
【００９５】
さらに、画像を確実に記録するために、レリーズスイッチをオンしてから暫らくの間は、撮像レンズ７５で捕捉した画像を表示部７１に表示してもよい。そして、被写体のフレーミングを決定した後、再びレリーズスイッチをオンすることにより画像取得が実行される。
【００９６】
続いて図１５を参照して、再生時の画像再生の概略を説明する。  
図１５は再生時の画像再生の概略を示した撮像機能付きＩＣレコーダの正面図である。  
撮像機能付きＩＣレコーダ７２の正面あるいは側面側に配設された図示しない再生スイッチ釦を押して再生スイッチをオンにすると再生動作が開始される。スピーカ放音孔７８からは、例えば図１５に示す吹き出しに示すような音声が発音されると同時に、この音声に関連した口述者の画像が表示部に表示される。この画像は、この画像に関連した音声の再生が終了するまで表示してもよい。勿論、前述のように再生開始から一定時間だけ表示するのもよい。
【００９７】
また、画像確認が不要ならば、全く表示しなくてもよい。もし、音声に関連した画像が記録されていないときは、通常の再生時の表示(録音時間、再生経過時間、録音モード(標準／ロング)、ファイルナンバ等を表示する。
【００９８】
このように構成された本発明の一実施形態を示す撮像機能付きＩＣレコーダにおいては、該撮像機能付きＩＣレコーダの表面に、低廉かつ小型のライン型ＣＣＤを設けることにより、システム制御部３０は、ライン型ＣＣＤにより操作者の指紋を検出し、検出した操作者の指紋と、記憶部に記憶されている使用予定者名である登録者名と関連付けられた指紋とを照合比較するようにした。
【００９９】
また、指紋が照合すれば、システム制御部３０は、当該操作者による操作が行われると判断して、特定した登録者のフォルダおよびカスタム設定をＬＣＤに表示するようにした。
【０１００】
よって、上記特定した登録者のフォルダおよびカスタム設定は、登録者毎にそれぞれ区別されており、例えば登録者Ａのフォルダには、登録者Ａが録音した音声データファイルのみが格納されているので、登録者Ａが当該操作者のときに、登録者Ｂの音声データファイルを再生、消去することはできない。
【０１０１】
このことにより、複数のフォルダに数多くのファイルが存在するようなときでも、操作者は、操作者自身が記憶したフォルダの音声または画像ファイルしか再生または消去を行うことができないため、どのファイルが許可または禁止されているのかを操作者は即座に自覚することができ、口述者とその口述内容を容易に確認することができるので、使い勝手が良い。また、現在の操作者が第３者の音声データファイルまたは画像ファイルに誤ってアクセスし、不用意に第３者の上記ファイルの再生や消去を行ってしまうことがない。
【０１０２】
尚、本実施の形態においては、指紋の読み取りには、光学式のライン型ＣＣＤを用いたが、これに限らず、例えば、指をセンサ上に置いたときの電極の電荷量の変化を読み取る半導体静電式を用いて指紋を読み取っても、同様に指紋検出が行える。また、コストおよびスペースが許容できるならば、エリア型ＣＣＤを用いてもよい。
【０１０３】
さらに、本発明の実施の形態においては、データ処理装置は、撮像機能付きＩＣレコーダを例に挙げて説明したが、これに限らず、撮像機能のないＩＣレコーダ、及びデジタルビデオカメラに適用しても良いことは云うまでもない。
【図面の簡単な説明】
【０１０４】
【図１】本発明の一実施の形態である撮像機能付きＩＣレコーダの構成の概略を示した機能ブロック図。
【図２】図１中の撮像機能付きＩＣレコーダの具体的な回路等の構成を示したブロック図。
【図３】図１，図２中の撮像機能付きＩＣレコーダのメイン動作の処理の概略を示したフローチャート。
【図４】図２中の記憶部に記憶された、音声データ領域とインデックス情報領域のそれぞれの構成と対応を示した図。
【図５】図３中の録音処理動作を詳細に説明したフローチャート。
【図６】図５中の画像取得処理動作を詳細に説明したフローチャート。
【図７】図３中の再生処理動作を詳細に説明したフローチャート。
【図８】図７中の画像再生処理動作を詳細に説明したフローチャート。
【図９】図３中の指紋認証処理動作を詳細に説明したフローチャート。
【図１０】ライン型ＣＣＤが配設された図１中の撮像機能付きＩＣレコーダの下部を示した部分正面図。
【図１１】図１中の撮像機能付きＩＣレコーダの上部を示した部分正面図。
【図１２】図１中の撮像機能付きＩＣレコーダにおける録音時の撮影の概略を示した上面図。
【図１３】図１中の撮像機能付きＩＣレコーダにおける録音時の撮影の概略を示した正面図。
【図１４】図１中の撮像機能付きＩＣレコーダにおける録音時の撮影の概略を示した使用状態図。
【図１５】図１中の撮像機能付きＩＣレコーダ再生時の画像再生の概略を示した正面図。
【符号の説明】
【０１０５】
２…記憶手段
９…指紋検出手段
１０…指紋照合手段（比較手段）
１１…判定手段（比較手段）
３０…システム制御部（比較手段）（制御手段）（登録手段）（パスワード比較手段）（登録操作制御手段）（操作環境設定手段）
３１…操作部（選択手段）（パスワード入力手段）
３２…記憶部（記憶手段）（パスワード記憶手段）
４０…撮像素子（指紋検出手段）
４１…指紋照合部（比較手段）
６０…ライン型ＣＣＤ（指紋検出手段）
６２…スクロールバー（選択手段）
７２…撮像機能付きＩＣレコーダ（データ処理装置）
代理人    弁理士    伊藤  進
【図１】
2005117105.tif 000003
【図２】
2005117105.tif 000004
【図３】
2005117105.tif 000005
【図４】
2005117105.tif 000006
【図５】
2005117105.tif 000007
【図６】
2005117105.tif 000008
【図７】
2005117105.tif 000009
【図８】
2005117105.tif 000010
【図９】
2005117105.tif 000011
【図１０】
2005117105.tif 000012
【図１１】
2005117105.tif 000013
【図１２】
2005117105.tif 000014
【図１３】
2005117105.tif 000015
【図１４】
2005117105.tif 000016
【図１５】
2005117105.tif 000017